(57)【特許請求の範囲】
【請求項１】
収納された記録紙を作像装置に向けて給紙する給紙装置と、作像装置の像担持体上に形成されたトナー像を記録紙に転写する転写装置とを備えた画像形成装置において、前記給紙装置の搬送ローラと転写装置との間にレジストローラ対を備えた記録紙搬送装置を備え、
前記記録紙搬送装置は、レジストローラ対の記録紙搬送方向上流側に、レジストローラ対まで記録紙が搬送されてその先端が停止したときレジストローラ対の記録紙搬送方向上流側に生じる記録紙ループを記録紙搬送方向に交差する方向に移動させる消音部材を備えた可動ガイドと、該可動ガイドに対向する位置に記録紙の厚み以上の間隔を隔てて配置された固定ガイドとを備え、前記可動ガイドと固定ガイドとの間を記録紙が搬送されるよう構成され、
前記可動ガイドは、記録紙搬送方向に交差する方向に設けられたスリットに転動体が移動自在に嵌合されると共に、スリットの、転動体の移動方向における両端には消音部材が配置されていること
を特徴とする画像形成装置の記録紙搬送装置。
【請求項２】
収納された記録紙を作像装置に向けて給紙する給紙装置と、作像装置の像担持体上に形成されたトナー像を記録紙に転写する転写装置とを備えた画像形成装置において、前記給紙装置の搬送ローラと転写装置との間にレジストローラ対を備えた記録紙搬送装置を備え、
前記記録紙搬送装置は、レジストローラ対の記録紙搬送方向上流側に、レジストローラ対まで記録紙が搬送されてその先端が停止したときレジストローラ対の記録紙搬送方向上流側に生じる記録紙ループを記録紙搬送方向に交差する方向に移動させる消音部材を備えた可動ガイドと、該可動ガイドに対向する位置に記録紙の厚み以上の間隔を隔てて配置された固定ガイドとを備え、前記可動ガイドと固定ガイドとの間を記録紙が搬送されるよう構成され、
前記可動ガイドは、前記固定ガイド方向に押圧付勢するばね部材を備え、通過する記録紙の厚みに応じて記録紙搬送方向に交差する方向に設けられたスリットに嵌合された転動体が移動し、転動体が移動限界に達したときは、可動ガイド自体が前記ばね部材の付勢力に抗して記録紙搬送方向に交差する方向に移動すること
を特徴とする画像形成装置の記録紙搬送装置。
【請求項３】
前記可動ガイドは、前記給紙装置のローラとレジストローラ対のニップ部を結ぶ線よりも外側に配置されていること
を特徴とする請求項１または請求項２に記載の画像形成装置の記録紙搬送装置。
【請求項４】
前記可動ガイドに対向する位置に配置された固定ガイドは、回転自在に配置されたローラであること
を特徴とする請求項１または請求項２に記載の画像形成装置の記録紙搬送装置。
【請求項５】
前記可動ガイドに対向する位置に配置された固定ガイドは、回転しない固定ガイドであること
を特徴とする請求項１または請求項２に記載の画像形成装置の記録紙搬送装置。
【発明の詳細な説明】
【技術分野】
【０００１】
この発明は、複写機、プリンタ等の画像形成装置の記録紙搬送装置に関する。
【背景技術】
【０００２】
複写機、プリンタ等の画像形成装置においては、画像を形成する作像部には感光体又は中間転写体等の像担持体が配置されており、像担持体に対応する位置には転写機構が備えられている。
【０００３】
作像部の作像動作を簡単に説明すると、表面が均一に帯電された像担持体の表面に、画像信号で変調されたレーザ光が投射されて画像潜像が形成される。形成された画像潜像は現像装置に装填されているトナーで現像され、像担持体の表面にトナー像が形成される。形成されたトナー像は、転写位置に配置された転写装置により搬送されてきた記録紙に転写され、定着処理されて記録紙上に画像が形成される。
【０００４】
上記したトナー像を記録紙に転写するためには、像担持体表面のトナー像が転写位置に到達するタイミングに合わせて記録紙を転写位置に搬送する必要がある。このため、転写装置の記録紙搬送方向上流側には、搬送ローラの他、レジストローラ対が配置されており、記録紙は搬送ローラにより予めレジストローラ対のニップ部まで搬送されて一旦停止する。そして、像担持体表面のトナー像が転写位置に到達するタイミングに合わせてレジストローラ対が回転を開始し、記録紙を転写位置に搬送するように構成されている。
【０００５】
記録紙がレジストローラ対のニップ部まで搬送されて一旦停止するとき、記録紙の先端の一部がレジストローラ対のニップ部に当接しても搬送ローラは回転を続け、搬送される記録紙の傾斜が補正され、記録紙の先端全てがレジストローラ対のニップ部に当接して搬送ローラの回転が停止される。
【０００６】
このため、記録紙の先端全てがレジストローラ対のニップ部に当接したとき、記録紙には弛みが生じてループが形成され、記録紙の搬送路に沿って配置された上下のガイドにループが接触し、異音が発生する。また、記録紙の搬送が開始されてループが解消するときもガイドにループが接触し、異音が発生する。
【０００７】
このような異音の発生は好ましくないので、以下のような対策が講じられている。
【０００８】
即ち、記録紙に発生したループが上ガイドに接触して発生する衝撃音については、ループが上ガイドに接触すると上ガイドが回転移動し、衝撃音をばねにより緩和する構成が提案されている（特許文献１）。
【０００９】
また、記録紙のループが解消するときループが下ガイドに接触して発生する衝撃音については、ループの下側を弾性的に保持された下ガイドにより支え、衝撃音の発生を防止するものが提案されている（特許文献２、特許文献３）。
【特許文献１】特開平９−８６７２８号公報
【特許文献２】特開２００５−８２３５５号公報
【特許文献３】特開２００１−３４８１４２号公報
【発明の開示】
【発明が解決しようとする課題】
【００１０】
上記した記録紙に発生したループが上ガイドに接触して発生する衝撃音を緩和する構成である上ガイド回転移動方式は、記録紙のループが解消するときループが下ガイドに接触して衝撃音が発生するほか、ガイドはループに沿った湾曲した形状を備えており、ループが形成されて上ガイドに接触するまでには記録紙の搬送速度が高くなっているので、衝撃音の発生を完全に押えることは困難であるという不都合がある。
【００１１】
また、記録紙のループが解消するとき、ループが下ガイドに接触して発生する衝撃音を押さえる弾性的に取付けられた下ガイド方式は、ループが形成されるとき上ガイドに接触して衝撃音が発生するほか、記録紙後端が搬送ローラを通過すると記録紙で押さえられていた下ガイドが弾性的に元の位置に復帰するが、このとき記録紙後端を跳ね上げて上ガイドに当たり、衝撃音が発生するという不都合がある。
【００１２】
さらに下ガイドは搬送ローラとレジストローラとの間の記録紙先端移動経路より上に突出していて、記録紙先端の移動方向が２度にわたり急激に変更されるので、円滑な通紙を阻害し、記録紙の搬送不良が発生する可能性がある。
【００１３】
この発明は上記した種々の課題を解決することを目的とするものである。
【課題を解決するための手段】
【００１４】
この発明は上記課題を解決するもので、請求項１の発明は、収納された記録紙を作像装置に向けて給紙する給紙装置と、作像装置の像担持体上に形成されたトナー像を記録紙に転写する転写装置とを備えた画像形成装置において、前記給紙装置の搬送ローラと転写装置との間にレジストローラ対を備えた記録紙搬送装置を備え、前記記録紙搬送装置は、レジストローラ対の記録紙搬送方向上流側に、レジストローラ対まで記録紙が搬送されてその先端が停止したときレジストローラ対の記録紙搬送方向上流側に生じる記録紙ループを記録紙搬送方向に交差する方向に移動させる消音部材を備えた可動ガイドと、該可動ガイドに対向する位置に記録紙の厚み以上の間隔を隔てて配置された固定ガイドとを備え、前記可動ガイドと固定ガイドとの間を記録紙が搬送されるよう構成され、前記可動ガイドは、記録紙搬送方向に交差する方向に設けられたスリットに転動体が移動自在に嵌合されると共に、スリットの、転動体の移動方向における両端には消音部材が配置されていることを特徴とする画像形成装置の記録紙搬送装置である。
【００１５】
また、請求項２の発明は、収納された記録紙を作像装置に向けて給紙する給紙装置と、作像装置の像担持体上に形成されたトナー像を記録紙に転写する転写装置とを備えた画像形成装置において、前記給紙装置の搬送ローラと転写装置との間にレジストローラ対を備えた記録紙搬送装置を備え、前記記録紙搬送装置は、レジストローラ対の記録紙搬送方向上流側に、レジストローラ対まで記録紙が搬送されてその先端が停止したときレジストローラ対の記録紙搬送方向上流側に生じる記録紙ループを記録紙搬送方向に交差する方向に移動させる消音部材を備えた可動ガイドと、該可動ガイドに対向する位置に記録紙の厚み以上の間隔を隔てて配置された固定ガイドとを備え、前記可動ガイドと固定ガイドとの間を記録紙が搬送されるよう構成され、前記可動ガイドは、前記固定ガイド方向に押圧付勢するばね部材を備え、通過する記録紙の厚みに応じて記録紙搬送方向に交差する方向に設けられたスリットに嵌合された転動体が移動し、転動体が移動限界に達したときは、可動ガイド自体が前記ばね部材の付勢力に抗して記録紙搬送方向に交差する方向に移動することを特徴とする画像形成装置の記録紙搬送装置である。
【００１６】
そして、前記可動ガイドは、前記給紙装置のローラとレジストローラ対のニップ部を結ぶ線よりも外側に配置されているものとする。
【００１７】
前記可動ガイドに対向する位置に配置された固定ガイドは、回転自在に配置されたローラとすることができる。
【００１８】
また、前記可動ガイドに対向する位置に配置された固定ガイドは、回転しない固定ガイドとすることもできる。
【発明の効果】
【００２０】
以上説明したとおり、この発明によれば、記録紙搬送装置は、レジストローラ対の記録紙搬送方向上流側に、レジストローラ対まで記録紙が搬送されてその先端が停止したときレジストローラ対の記録紙搬送方向上流側に生じる記録紙ループを記録紙搬送方向に交差する方向に移動させる消音部材を備えた可動ガイドと、該可動ガイドに対向する位置に記録紙の厚み以上の間隔を隔てて配置された固定ガイドとを備え、前記可動ガイドと固定ガイドとの間を記録紙が搬送されるよう構成されている。
【００２１】
これにより、記録紙がレジストローラ対まで搬送されて停止し、レジストローラ対の記録紙搬送方向上流側に記録紙ループが生じたとき、及び記録紙の搬送が開始されて記録紙ループが解消したときは、記録紙は可動ガイド又は固定ガイドに衝突して衝撃音が発生するが、記録紙と可動ガイド又は固定ガイドとは接近しており、移動距離は僅かであり、また、可動ガイドは消音部材を備えているので、記録紙が可動ガイド又は固定ガイドに衝突して発生する衝撃音は、画像形成装置の通常の動作音に隠れて聞こえない。
【００２２】
また、記録紙の後端が給紙装置の搬送ローラを抜けて可動ガイドに向かうとき、記録紙後端が跳ね上げられて発生する衝撃音も、記録紙と可動ガイドとは接近しており、移動距離は僅かであり、また、可動ガイドは消音部材を備えているので、記録紙が可動ガイドに衝突して発生する衝撃音は、画像形成装置の通常の動作音に隠れて聞こえない。
【発明を実施するための最良の形態】
【００２３】
図１は、この発明を実施した画像形成装置の構成の一例の概略を説明する正面図であって、画像形成装置１０はスキャナ装置１１と作像装置１２、搬送装置２０、及び給紙装置１４から構成される。
【００２４】
スキャナ装置１１は、上面に原稿を載置する原稿ガラス１１ａと、その下側に配置された走査光学系を備えた走査機構１１ｂとから構成され、走査機構１１ｂからは原稿画像を走査して得られた画像信号が作像装置１２に出力される。
【００２５】
作像装置１２は、感光体１２ａとその周囲に配置された帯電装置１２ｂ、レーザ光投射装置１２ｃ、現像装置１２ｄ、転写ローラ１２ｅ、クリーニング装置１２ｆ、排出トレイ１２ｇと、転写ローラ１２ｅの下流側に配置された定着装置１２ｈから構成される。
【００２６】
給紙装置１４は、収納された記録紙Ｐを作像装置１２に向けて給紙するものであって、給紙装置１４と作像装置１２との間にはこの発明に係る搬送装置２０が配置される。
【００２７】
以下、簡単に画像形成装置の作像動作を説明する。まず、画像形成作像装置１０の電源が投入され、作像装置１２の感光体１２ａは所定の回転速度で回転を開始し、現像装置１２ｄ、帯電装置１２ｂその他の装置も準備動作を開始する。スキャナ装置１１の上面の原稿ガラス１１ａの上に原稿を載置し、スキャナ装置１１を作動させて原稿画像を走査すると、走査機構１１ｃから画像信号が出力される。
【００２８】
出力された画像信号は、作像装置１２のレーザ光投射装置１２ｃに入力され、画像信号で変調されたレーザ光が、予め帯電装置１２ｂにより均一に帯電された感光体１２ａの表面に投射され、感光体１２ａの表面には画像潜像が形成される。形成された画像潜像は、現像装置１２ｄに装填されているトナーで現像され、感光体１２ａの表面にトナー像が形成される。形成されたトナー像は、転写位置に配置された転写ローラ１２ｅにより搬送されてきた記録紙Ｐに転写され、定着装置１２ｈで定着処理されて記録紙Ｐ上に画像が形成され、排出トレイ１２ｇに排出される。感光体１２ａの表面に残留したトナーはクリーニング装置１２ｆにより清掃され、次の作像動作に備える。
【００２９】
上記したトナー像を記録紙Ｐに転写するために、感光体１２ａの表面のトナー像が転写ローラ１２ｅに到達するタイミングに合わせて記録紙Ｐを転写位置に搬送する必要があるが、このため、以下説明するこの発明に係る搬送装置２０が、給紙装置１４と作像装置１２との間に配置される。
【００３０】
図２は、搬送装置２０の構成を説明する図であって、図２（ａ）は搬送路に沿って配置された各種ローラとガイドを説明する図、図２（ｂ）は可動ガイド２３の構成を説明する拡大正面図である。
【００３１】
図２（ａ）を参照して搬送路に沿って配置された各種ローラとガイドを説明する。感光体１２ａと転写ローラ１２ｅとに向けて搬送される記録紙Ｐの搬送方向上流側には、給紙装置１４側から順に、搬送ローラ対２１ａ及び２１ｂ、固定ガイド２２、可動ガイド２３、可動ガイド２３に対して記録紙Ｐの搬送路に相当する間隔を隔てて対向して配置された固定ガイドであるローラ２４、レジストローラ前固定ガイド２５ａ及び２５ｂ、レジストローラ対２７ａ及び２７ｂ、転写ガイド２８ａ及び２８ｂが搬送路に沿って配置されている。
【００３２】
可動ガイド２３は、図２（ｂ）に示すように、フレーム２３ａに設けられたスリット２３ｂに転動体であるコロ２３ｃ、２３ｃが移動自在に配置されており、スリット２３ｂの左右には消音部材２３ｄ、２３ｄが取付けられている。さらに可動ガイド２３には記録紙Ｐの搬送路に沿って固定ガイド２３ｇ、２３ｇが取り付けられており、緩やかに記録紙Ｐの先端がレジストローラ対２７ａ及び２７ｂのニップ部に向かうようにガイドする。
【００３３】
また、可動ガイド２３のフレーム２３ａは、ばね２３ｆによりローラ２４に向かう方向に付勢されている。
【００３４】
搬送装置２０の動作を説明する。図示しない制御装置から出力される給紙指令に応答して、給紙装置１４から記録紙Ｐが搬送ローラ対２１ａ及び２１ｂの回転と固定ガイド２２にガイドされて矢印ａ方向に搬送され、可動ガイド２３とローラ２４との間を通過し、レジストローラ前固定ガイド２５ａ及び２５ｂにガイドされて搬送され、記録紙Ｐの先端がレジストローラ対２７ａ及び２７ｂのニップ部に当接する。
【００３５】
記録紙Ｐの先端が前記ニップ部に当接した後も、搬送ローラ対２１ａ及び２１ｂの回転は継続するので、記録紙Ｐは先端がニップ部に当接した状態でたわみ、ループが形成されるが、一定量のループが形成されると搬送ローラ対２１ａ及び２１ｂの回転は停止する。記録紙Ｐにループが形成されることで、記録紙Ｐは先端が全幅にわたってニップ部に当接し、記録紙Ｐの斜行が補正される。
【００３６】
図３は、記録紙Ｐの先端がニップ部に当接し、可動ガイド２３が記録紙のループにより横方向（図２で右方向）に押されてループを形成する空間が形成された状態を説明する図である。
【００３７】
記録紙Ｐは、ループが形成される前から可動ガイド２３に接触しているので、ループが形成されるとき、記録紙Ｐと可動ガイド２３との間で衝撃音は発生しない。
【００３８】
可動ガイド２３の初期位置は、搬送ローラ対２１ａ及び２１ｂのニップ部とレジストローラ対２７ａ及び２７ｂのニップ部とを結んだ線Ｌより外側の図３で右側にあるため、記録紙Ｐはループが形成される前から可動ガイド２３側に湾曲しており、ループが形成されると更に湾曲が大きくなり、常に安定したループが形成される。
【００３９】
図４乃至図６は、記録紙Ｐにループが形成されるときの可動ガイド２３の位置を説明する図であって、図４（ａ）は搬送路に沿って配置された各種ローラとガイドを説明する図、図４（ｂ）は可動ガイド２３の構成を説明する拡大正面図である。
【００４０】
図４（ａ）及び（ｂ）は記録紙Ｐが薄紙の場合、図５（ａ）及び（ｂ）は記録紙Ｐが普通紙の場合、図６（ａ）及び（ｂ）は記録紙Ｐが厚紙の場合を示している。
【００４１】
記録紙Ｐにループが形成されると、記録紙Ｐの厚さによりばね２３ｆに対向して可動ガイド２３を横方向（図２で右方向）に押圧する力と、可動ガイド２３の転動体であるコロ２３ｃの移動量は変化し、記録紙Ｐが、薄紙の場合、普通紙の場合、厚紙の場合、の順にコロ２３ｃの移動量は大きくなる。但し、記録紙Ｐが厚紙の場合は、可動ガイド２３のコロ２３ｃが消音部材２３ｄに当接し、コロ２３ｃの移動は停止する。コロ２３ｃが消音部材２３ｄに当接したときの衝撃は、ばね２３ｆと消音部材２３ｄにより緩和されるので、衝撃音は発生しない。
【００４２】
従来の構成では、記録紙Ｐにループが形成されると記録紙Ｐの先端がニップ部から外れるという障害が発生することがある。しかし、本願の可動ガイド２３の構成によれば、記録紙Ｐに形成されたループは、ばね２３ｆにより押圧されている可動ガイド２３によりループを小さくする方向に押圧され、記録紙Ｐの先端がレジストローラ対２７ａ及び２７ｂに向けて押圧されるので、記録紙Ｐの先端は常にレジストローラ対２７ａ及び２７ｂのニップ部に押圧接触しており、記録紙Ｐの先端がニップ部から外れることがないから、レジストローラ対２７ａ及び２７ｂによる記録紙Ｐの搬送不良は発生しない。
【００４３】
図７は、記録紙Ｐに形成されたループが解消されたときの状態を説明する図で、図７（ａ）は搬送路に沿って配置された各種ローラとガイドを説明する図、図７（ｂ）は可動ガイド２３の構成を説明する拡大正面図である。
【００４４】
ある。レジストローラ対２７ａ及び２７ｂが回転を開始すると、記録紙Ｐは転写位置に向けて搬送され、形成されていたループは次第に解消してゆく。
【００４５】
このとき、記録紙Ｐは可動ガイド２３に対向する位置に配置されているローラ２４に当接し、可動ガイド２３とローラ２４とを、ローラ２４の当接力とばね２３ｆの付勢力とにより図２に示す初期位置に押し戻す。ループが解消される直前に搬送ローラ対２１ａ及び２１ｂは回転を開始し、記録紙Ｐ全体が搬送される。
【００４６】
記録紙Ｐに形成されたループが解消するときは、記録紙Ｐは可動ガイド２３に接触した状態からローラ２４に接触した状態に移るが、このときの移動距離は短く、記録紙Ｐの搬送速度も遅いので、衝撃音は発生しない。また、可動ガイド２３とローラ２４とが初期位置に押し戻されて停止するときの衝撃は消音部材２３ｄにより吸収され、衝撃音は発生しない。
【００４７】
図８は、先に図２により説明した搬送装置の構成において、固定ガイドである回転自在なローラ２４に替えて、回転しない固定ガイド２９を配置した搬送装置の構成を説明する図である。回転自在なローラ２４に替えて固定ガイド２９を配置すると、記録紙Ｐの通紙抵抗は増加するが、搬送装置の構成を簡単にすることができる。また、固定ガイド２９の通紙面に低摩擦材料のコーティングを施すことで、記録紙Ｐの通紙抵抗を減少させることができる。
【００４８】
図９は、先に説明した搬送装置において、記録紙Ｐのループ形成から解消までの衝撃音の発生状況を比較説明する図である。
【００４９】
図９（ａ）は、記録紙Ｐのループ形成前の状態を示している。記録紙Ｐは可動ガイド２３に接触するか非常に接近しているため、記録紙Ｐと可動ガイド２３との接触による衝撃音は、画像形成装置の通常の動作音に隠れて聞こえないレベルの音しか発生しない。
【００５０】
図９（ｂ）は、記録紙Ｐのループ形成の終了した状態を示している。記録紙Ｐが可動ガイド２３の消音部材に当接して衝撃音が発生するが、消音部材がない場合と比較して半分以下となる。
【００５１】
図９（ｃ）は、記録紙Ｐのループ解消前の状態を示している。記録紙Ｐはローラ２４に接近又は接触するが、記録紙Ｐとローラ２４との接触による衝撃音は、画像形成装置の通常の動作音に隠れて聞こえないレベルの音しか発生しない。
【００５２】
図９（ｄ）は、記録紙Ｐのループ解消済みの状態を示している。記録紙Ｐがローラ２４に当接し、可動ガイド２３とローラ２４がローラ２４の当接力とばね２３ｆの付勢力とにより初期位置に押し戻されるが、消音部材がない場合と比較して半分以下となる。
【００５３】
図９（ｅ）は、記録紙Ｐの後端が搬送ローラ対２１ａ及び２１ｂを通過した状態を示している。可動ガイド２３と記録紙Ｐの後端とは接近しており、記録紙Ｐの後端の跳ね上げ量は僅かであり、記録紙Ｐの後端が可動ガイド２３に衝突するときの衝撃音は、画像形成装置の通常の動作音に隠れて聞こえないレベルの音しか発生しない。
【産業上の利用可能性】
【００５４】
画像形成装置の記録紙搬送装置であって、搬送される記録紙の先端がレジストローラ対のニップ部に当接したときに記録紙に発生するループ、及び記録紙の搬送が開始されてループが解消するとき、記録紙が搬送ガイドに衝突して発生する衝撃音を低減することができる画像形成装置の記録紙搬送装置である。
【図面の簡単な説明】
【００５５】
【図１】この発明を実施した画像形成装置の構成の一例の概略を説明する正面図。
【図２】搬送装置の構成を説明する図。
【図３】記録紙の先端がニップ部に当接し、可動ガイドが記録紙のループにより横方向に押されてループを形成する空間が形成された状態を説明する図。
【図４】記録紙が薄紙の場合の、ループ形成時の可動ガイドの位置を説明する図。
【図５】記録紙が普通紙の場合の、ループ形成時の可動ガイドの位置を説明する図。
【図６】記録紙が厚紙の場合の、ループ形成時の可動ガイドの位置を説明する図。
【図７】記録紙に形成されたループが解消されたときの状態を説明する図。
【図８】図２に示す搬送装置において、ローラに替えてガイドを配置した搬送装置の構成を説明する図。
【図９】搬送装置における衝撃音の発生状況を比較説明する図。
【符号の説明】
【００５６】
１０  画像形成装置
１１  スキャナ装置
１１ａ  原稿ガラス
１１ｂ  走査機構
１２  作像装置
１２ａ  感光体
１２ｂ  帯電装置
１２ｃ  レーザ光投射装置
１２ｄ  現像装置
１２ｅ  転写ローラ
１２ｆ  クリーニング装置
１２ｇ  排出トレイ
１２ｈ  定着装置
１４  給紙装置
２０  搬送装置
２１ａ、２１ｂ  搬送ローラ対
２２  固定ガイド
２３  可動ガイド
２３ａ  フレーム
２３ｂ  スリット
２３ｃ  転動体（コロ）
２３ｄ  消音部材
２３ｇ  固定ガイド
２３ｆ  ばね
２４  固定ガイド（回転自在なローラ）
２５ａ、２５ｂ  レジストローラ前固定ガイド
２７ａ、２７ｂ  レジストローラ対
２８ａ、２８ｂ  転写ガイド
２９  固定ガイド（回転しない固定ガイド）
【図１】
0005040513.tif 000002
【図２】
0005040513.tif 000003
【図３】
0005040513.tif 000004
【図４】
0005040513.tif 000005
【図５】
0005040513.tif 000006
【図６】
0005040513.tif 000007
【図７】
0005040513.tif 000008
【図８】
0005040513.tif 000009
【図９】
0005040513.tif 000010